(57)【要約】【課題】従来の棟装置は、半截面戸瓦の上に、複数枚の半截のし瓦を葺設し、段積した両のし瓦の上に丸瓦を葺設する構成である。しかし、両側ののし瓦の表面に設けた段部を介して、両側の半截のし瓦の葺き勾配調整を図る構造、又はこの段部を介して、簡易かつ確実に、両側の半截のし瓦のチリ寸法の調整を図ることを意図しないので、その改良が要望される。【構成】本発明は、屋根地の棟部の棧瓦に葺設される半截方式の面戸付きのし瓦と、面戸付きのし瓦に多段積みされる半截方式ののし瓦と、のし瓦に積層される三段のし付き冠瓦とで構成した棟であって、半截方式ののし瓦は、のし瓦本体部の表面に段部付き係止突起を、裏面に第一の突起・第二の突起を形成し、第一の突起を面戸付きのし瓦本体部の係止突起に係合し、また第二の突起を、のし瓦本体部の係止突起に係合可能とする構成である。【選択図】図１−１
2008156991.tif 000002
【特許請求の範囲】
【請求項１】
屋根地の棟部の棧瓦に葺設される半截方式の面戸付きのし瓦と、この面戸付きのし瓦に一段〜数段積みされる半截方式ののし瓦と、こののし瓦に積層される三段のし付き冠瓦とで構成した棟であって、
前記面戸付きのし瓦は、山形の面戸付きのし瓦本体部の一方側に絞込み部を備えた玉縁と、また面戸付きのし瓦本体部の他方側は、前記玉縁の挿入が可能な空間部を備え、しかもこの面戸付きのし瓦本体部の表裏面に係止突起をそれぞれ設けた構成と、
また前記半截方式ののし瓦は、平板状ののし瓦本体部の表面に段部を備えた係止突起を、またその裏面に第一の突起と、第二の突起とを形成し、こののし瓦を、半截して数段に葺設する際に、この第一の突起を前記面戸付きのし瓦本体部の表面に設けた係止突起に係合し、また第二の突起を、のし瓦本体部の表面に設けた係止突起に係合可能とする構成と、
前記三段のし付き冠瓦は、アーチ形状の冠瓦本体部の両側面に擬似三段のし部を備え、またアーチ形状の冠瓦本体部の一方側に玉縁を、他方側に紐部を備えた構成とし、
前記棟部の両側の棧瓦に、半截面戸付きのし瓦をそれぞれ葺設し、この両側の半截面戸付きのし瓦の上に、半截のし瓦をそれぞれ複数枚積層し、この葺設時に、半截のし瓦本体部の裏面に設けた第一の突起を、前記半截面戸付きのし瓦本体部の表面に設けた係止突起にそれぞれ係合するとともに、上段の半截のし瓦本体部の裏面に設けた第二の突起を、こののし瓦本体部の表面に設けた係止突起にそれぞれ係合し、この両側に葺設した複数段の半截のし瓦本体部の表面に、かつこの表面に設けた係止突起をそれぞれ被嵌するようにして前記三段のし付き冠瓦を葺設する構成とした棟装置。
【請求項２】
請求項１に記載の棟装置であって、
前記棟部に設けた支持具に、垂木を積層し、この垂木の両側に半截面戸付きのし瓦本体部を、それぞれ添接及び／又は緊締手段で固止し、この両半截面戸付きのし瓦本体部の表面に設けた係止突起に、一段目の両側の半截のし瓦本体部の裏面に設けた第一の突起をそれぞれ係合するとともに、この一段目の両側の半截のし瓦本体部を、前記支持具に緊締し、
この一段目の両側の半截のし瓦本体部に、二段目の両側の半截のし瓦本体部を葺設し、この一段目の両側の半截のし瓦本体部の表面に設けた係止突起に、二段目の両側の半截のし瓦本体部の裏面に設けた第二の突起を係合するとともに、この二段目の両側の半截のし瓦本体部を、前記支持具に緊締し、
以上のようにして、複数段の両側の半截のし瓦本体部を順次葺設するとともに、緊締し、この複数段の半截のし瓦を葺設かつ緊締し、
複数段葺設した両側の半截のし瓦本体部の表面に、かつこの表面に設けた係止突起をそれぞれ被嵌するようにして前記三段のし付き冠瓦を葺設するとともに、この三段のし付き冠瓦に貫入した釘を前記垂木に緊締する構成とした棟装置。
【請求項３】
請求項１に記載の棟装置であって、
前記半截のし瓦本体部の表面に設けた係止突起に隣接して設けた段部を、勾配調整用の段部とする構成とした棟装置。
【請求項４】
請求項１に記載の棟装置であって、
前記半截のし瓦本体部の表面に設けた係止突起に隣接して設けた段部を、チリ寸法決定用の段部とする構成とした棟装置。
【発明の詳細な説明】
【技術分野】
【０００１】
本発明は、耐震・耐風効果が図れ、かつ葺き土式棟を構築できる棟装置に関する。
【背景技術】
【０００２】
従来、表題の棟装置に関しては、種々の提案がなされている。これらの先行文献を下記に列挙する。
【０００３】
先行文献（１）は、特開平８−２８４３２３の「耐震棟装置」である。この発明は、支持具の上に面戸瓦を葺設し（設け）、この面戸瓦の上に透孔を備えた大のし瓦を葺設し、この大のし瓦の上に第二の支持具を介してのし段付部を備えた一体形状ののし瓦を葺設し、さらにこののし瓦に棟用の丸瓦を葺設し、これらの面戸瓦と、一体形状ののし瓦並びに丸瓦を番線又は釘等の緊締具を介して緊締した構成であり、耐震棟であって、乾式棟に最適な棟装置を提供する。
【０００４】
先行文献（２）は、特開２０００−２７３７６の「目透かしのし瓦積みの棟構造、及びのし瓦」である。この発明は、屋根地に大のし瓦と、この大のし瓦の上に多数枚ののし瓦を葺設し、この上段ののし瓦に丸瓦を葺設した構造であり、のし瓦の表裏面に、それぞれ係止突起を葺設し、こののし瓦の表裏面に設けたそれぞれ係止突起を介して目透かし棟構造を提供すること、またこの構成を介して耐震・耐風のある乾式棟構造を提供する等にある。
【０００５】
さらに先行文献（３）は、特開平１１−６２５４の「のし瓦」である。この発明は、棧瓦の上に、多数枚ののし瓦を葺設するとともに、この多数枚ののし瓦を、その表裏面の凹凸部の係合を介して設け、こののし瓦の上に冠瓦を葺上げる構成であり、この複数の表裏面の凹凸部を調整することで、のし瓦間のチリ調整が図れる葺き土棟ののし瓦を提供する。
【０００６】
【特許文献１】特開平８−２８４３２３
【特許文献２】特開２０００−２７３７６
【特許文献３】特開平１１−６２５４
【発明の開示】
【発明が解決しようとする課題】
【０００７】
前述の先行文献（１）〜（３）は、半截面戸瓦の上に、複数枚の半截のし瓦を葺設（段積み）し、この葺設した両側（棟を中心として左右側）のし瓦の上に丸瓦を葺設する構成である。しかし、両側ののし瓦の表面に設けた段部を介して、両側の半截のし瓦の葺き勾配調整（棟側から軒先側に向かった勾配調整）を図る構造、又はこの段部を介して、簡易かつ確実に、両側の半截のし瓦のチリ寸法決定（勾配調整）を図ること等を意図していないので、その改良が要望される。そして、また、この先行文献（１）、（２）は、乾式工法の面戸瓦と、のし瓦並びに冠瓦とを介して構築する棟装置である。しかし、乾式工法と、三段のし部を備えた冠瓦とを採用することで、防水に優れた棟装置（棟構造）とすること等を意図していないので、その改良が望まれる。
【課題を解決するための手段】
【０００８】
請求項１の発明は、半截のし瓦本体部の裏面に設けた第一・第二の突起を利用し、半截のし瓦の葺設（段積み）の容易化、安定化を図りつつ、耐震、耐風効果のある棟装置を提案すること、また葺き土工法と、三段のし部を備えた冠瓦とを採用することで、防水に優れた棟装置（棟構造）を提案すること、等を意図する。
【０００９】
請求項１は、屋根地の棟部の棧瓦に葺設される半截方式の面戸付きのし瓦と、この面戸付きのし瓦に一段〜数段積みされる半截方式ののし瓦と、こののし瓦に積層される三段のし付き冠瓦とで構成した棟であって、
前記面戸付きのし瓦は、山形の面戸付きのし瓦本体部の一方側に絞込み部を備えた玉縁と、また面戸付きのし瓦本体部の他方側は、前記玉縁の挿入が可能な空間部を備え、しかもこの面戸付きのし瓦本体部の表裏面に係止突起をそれぞれ設けた構成と、
また前記半截方式ののし瓦は、平板状ののし瓦本体部の表面に段部を備えた係止突起を、またその裏面に第一の突起と、第二の突起とを形成し、こののし瓦を、半截して数段に葺設する際に、この第一の突起を前記面戸付きのし瓦本体部の表面に設けた係止突起に係合し、また第二の突起を、のし瓦本体部の表面に設けた係止突起に係合可能とする構成と、
前記三段のし付き冠瓦は、アーチ形状の冠瓦本体部の両側面に擬似三段のし部を備え、またアーチ形状の冠瓦本体部の一方側に玉縁を、他方側に紐部を備えた構成とし、
前記棟部の両側の棧瓦に、半截面戸付きのし瓦をそれぞれ葺設し、この両側の半截面戸付きのし瓦の上に、半截のし瓦をそれぞれ複数枚積層し、この葺設時に、半截のし瓦本体部の裏面に設けた第一の突起を、前記半截面戸付きのし瓦本体部の表面に設けた係止突起にそれぞれ係合するとともに、上段の半截のし瓦本体部の裏面に設けた第二の突起を、こののし瓦本体部の表面に設けた係止突起にそれぞれ係合し、この両側に葺設した複数段の半截のし瓦本体部の表面に、かつこの表面に設けた係止突起をそれぞれ被嵌するようにして前記三段のし付き冠瓦を葺設する構成とした棟装置である。
【００１０】
請求項２の発明は、請求項１の目的を達成すること、この目的を達成するのに最適で、かつ最適な耐震・耐風効果が図れる棟装置を提案すること等を意図する。
【００１１】
請求項２は、請求項１に記載の棟装置であって、
前記棟部に設けた支持具に、垂木を積層し、この垂木の両側に半截面戸付きのし瓦本体部を、それぞれ添接及び／又は緊締手段で固止し、この両半截面戸付きのし瓦本体部の表面に設けた係止突起に、一段目の両側の半截のし瓦本体部の裏面に設けた第一の突起をそれぞれ係合するとともに、この一段目の両側の半截のし瓦本体部を、前記支持具に緊締し、
この一段目の両側の半截のし瓦本体部に、二段目の両側の半截のし瓦本体部を葺設し、この一段目の両側の半截のし瓦本体部の表面に設けた係止突起に、二段目の両側の半截のし瓦本体部の裏面に設けた第二の突起を係合するとともに、この二段目の両側の半截のし瓦本体部を、前記支持具に緊締し、
以上のようにして、複数段の両側の半截のし瓦本体部を順次葺設するとともに、緊締し、この複数段の半截のし瓦を葺設かつ緊締し、
複数段葺設した両側の半截のし瓦本体部の表面に、かつこの表面に設けた係止突起をそれぞれ被嵌するようにして前記三段のし付き冠瓦を葺設するとともに、この三段のし付き冠瓦に貫入した釘を前記垂木に緊締する構成とした棟装置である。
【００１２】
請求項３の発明は、請求項１の目的を達成すること、この目的を達成するのに最適な葺き勾配調整（棟側から軒先側に向かった勾配調整）ができる棟装置を提案すること等を意図する。
【００１３】
請求項３は、請求項１に記載の棟装置であって、
前記半截のし瓦本体部の表面に設けた係止突起に隣接して設けた段部を、勾配調整用の段部とする構成とした棟装置である。
【００１４】
請求項４の発明は、請求項１の目的を達成すること、この目的を達成するのに最適なチリ寸法決定（勾配調整）ができる半截のし瓦を提案すること等を意図する。
【００１５】
請求項４は、請求項１に記載の棟装置であって、
前記半截のし瓦本体部の表面に設けた係止突起に隣接して設けた段部を、チリ寸法決定用の段部とする構成とした棟装置である。
【発明の効果】
【００１６】
請求項１の発明は、屋根地の棟部の棧瓦に葺設される半截方式の面戸付きのし瓦と、面戸付きのし瓦に一段〜数段積みされる半截方式ののし瓦と、のし瓦に積層される三段のし付き冠瓦とで構成した棟であって、
面戸付きのし瓦は、山形の面戸付きのし瓦本体部の一方側に絞込み部を備えた玉縁と、また面戸付きのし瓦本体部の他方側は、玉縁の挿入が可能な空間部を備え、しかも面戸付きのし瓦本体部の表裏面に係止突起をそれぞれ設けた構成と、
また半截方式ののし瓦は、平板状ののし瓦本体部の表面に段部を備えた係止突起を、またその裏面に第一の突起と、第二の突起とを形成し、のし瓦を、半截して数段に葺設する際に、第一の突起を面戸付きのし瓦本体部の表面に設けた係止突起に係合し、また第二の突起を、のし瓦本体部の表面に設けた係止突起に係合可能とする構成と、
三段のし付き冠瓦は、アーチ形状の冠瓦本体部の両側面に擬似三段のし部を備え、またアーチ形状の冠瓦本体部の一方側に玉縁を、他方側に紐部を備えた構成とし、
棟部の両側の棧瓦に、半截面戸付きのし瓦をそれぞれ葺設し、両側の半截面戸付きのし瓦と係止突起とを利用し、半截のし瓦をそれぞれ複数枚積層し、葺設時に、半截のし瓦本体部の第一の突起を、半截面戸付きのし瓦本体部の表面に設けた係止突起にそれぞれ係合するとともに、上段の半截のし瓦本体部の第二の突起を、のし瓦本体部の表面に設けた係止突起にそれぞれ係合し、両側の半截のし瓦本体部の表面に、かつ表面に設けた係止突起をそれぞれ被嵌するようにして三段のし付き冠瓦を葺設する構成とした棟装置である。
【００１７】
従って、請求項１は、半截のし瓦本体部の裏面に設けた第一・第二の突起を利用し、半截のし瓦の葺設（段積み）の容易化、安定化を図りつつ、耐震、耐風効果のある棟装置を提案できること、また葺き土工法と、三段のし部を備えた冠瓦とを採用することで、防水に優れた棟装置（棟構造）を提案できること、等の特徴を有する。
【００１８】
請求項２の発明は、請求項１に記載の棟装置であって、
棟部に設けた支持具に、垂木を積層し、垂木の両側に半截面戸付きのし瓦本体部を、それぞれ添接及び／又は緊締手段で固止し、両半截面戸付きのし瓦本体部の表面に設けた係止突起に、一段目の両側の半截のし瓦本体部の裏面に設けた第一の突起をそれぞれ係合するとともに、一段目の両側の半截のし瓦本体部を、支持具に緊締し、
一段目の両側の半截のし瓦本体部に、二段目の両側の半截のし瓦本体部を葺設し、一段目の両側の半截のし瓦本体部の表面に設けた係止突起に、二段目の両側の半截のし瓦本体部の裏面に設けた第二の突起を係合するとともに、二段目の両側の半截のし瓦本体部を、支持具に緊締し、
以上のようにして、複数段の両側の半截のし瓦本体部を順次葺設するとともに、緊締し、複数段の半截のし瓦を葺設かつ緊締し、
複数段葺設した両側の半截のし瓦本体部の表面に、かつ表面に設けた係止突起をそれぞれ被嵌するようにして三段のし付き冠瓦を葺設するとともに、三段のし付き冠瓦に貫入した釘を垂木に緊締する構成とした棟装置である。
【００１９】
従って、請求項２は、請求項１の目的を達成できること、この目的を達成するのに最適で、かつ最適な耐震・耐風効果が図れる棟装置を提案できること等の特徴を有する。
【００２０】
請求項３の発明は、請求項１に記載の棟装置であって、
半截のし瓦本体部の表面に設けた係止突起に隣接して設けた段部を、勾配調整用の段部とする構成とした棟装置である。
【００２１】
従って、請求項３は、請求項１の目的を達成できること、この目的を達成するのに最適な葺き勾配調整（棟側から軒先側に向かった勾配調整）ができる棟装置を提案できること等の特徴を有する。
【００２２】
請求項４の発明は、請求項１に記載の棟装置であって、
半截のし瓦本体部の表面に設けた係止突起に隣接して設けた段部を、チリ寸法決定用の段部とする構成とした棟装置である。
【００２３】
従って、請求項４は、請求項１の目的を達成できること、この目的を達成するのに最適なチリ寸法決定（勾配調整）ができる半截のし瓦を提案できること等の特徴を有する。
【発明を実施するための最良の形態】
【００２４】
図面の説明をすると、図１−１は棟装置の一例を示した要部断面図、図１−２は棟装置の他の一例を示した要部断面、図２は図１の斜視図、図３は面戸付きのし瓦の表面視した全体斜視図、図４は図３の裏面視した全体斜視図、図５は半截面戸付きのし瓦（半截面戸付きのし瓦本体部）の表面視した全体斜視図、図６はのし瓦の表面視した全体斜視図、図７は図６の裏面視した全体斜視図、図８は半截のし瓦（半截のし瓦本体部）の裏面視した全体斜視図、図９は三段のし付き冠瓦の表面視した全体斜視図、図１０は図９の裏面視した裏面図である。
【００２５】
図３〜図５に示した半截方式の面戸付きのし瓦１に付き説明すると、山形の面戸付きのし瓦本体部１００の一方側１００−１（の側面側）に絞込み部１０１を備えた玉縁１０２と、また面戸付きのし瓦本体部１００の他方側１００−２（の裏面）に玉縁１０２の挿入が可能な空間部１０３を備え、しかも面戸付きのし瓦本体部１００の表裏面１００ａ、１００ｂに係止突起１０４、１０５をそれぞれ設けた構成である。図中２は、面戸付きのし瓦１の長手方向のセンターに設けた切り溝であり、この切り溝２を介してこの面戸付きのし瓦１を半截し、半截面戸付きのし瓦１−１を形成する。そして、この半截された半截面戸付きのし瓦１−１は、左右対称の構造である。また図中１０７は表面１００ａの空間側１０３側に設けた水切り溝を示しており、表面１００ａの雨水を誘導し、玉縁１０２への侵入防止を図る。尚、この玉縁１０２には水返し突条１０８を設ける。
【００２６】
また本発明では、この係止突起１０５を略三角錐形状とし、従来の方形状の突起に対して、成形の容易化と、軽量化、粘土の節約化等に寄与する。さらにまた本発明では、この係止突起１０４の上面をフラットとし、同じ形状で、複数分割する構造であり、成形・葺設の容易化と、形状の安定性、葺設の確実性・優れた棟の葺設等に寄与できる。図中１０２ａは玉縁１０２の裏面に形成した凹部で、この凹部１０２ａは、後述する棧木に被嵌される。図中１０９は表面１００ａの長手方向の両端に設けた水返し突条であり、この水返し突条１０９は、その突条構造と、その一部（玉縁１０２側）に切欠き部を形成することで、この表面１００ａの雨水を誘導し、棧瓦１０の谷部に導く構造とし、雨水の誘導と、雨仕舞の友好性とを確保できる。尚、図中１１０は表面１００ａに設けた水返し突条で、この水返し突条１１０は、その高さを低く、かつその幅を細く係止突起１０４から玉縁１０２に向って延設形成されている。
【００２７】
図６〜図８に示した半截方式ののし瓦４に付き説明すると、略平板状ののし瓦本体部４００の表面４００ａに段部４０１を備えた係止突起４０２を、またその裏面４００ｂに第一の突起４０３と、第二の突起４０４とを形成した構成である。そして、図中５は、のし瓦４の長手方向のセンターに設けた切り溝であり、この切り溝５を介してこののし瓦４を半截し、半截のし瓦４−１を形成する。そして、この半截された半截のし瓦４−１は、左右対称の構造である。前記のし瓦４の裏面４００ｂに設けた第一の突起４０３を、前記面戸付きのし瓦本体部１００（半截面戸付きのし瓦１−１）の表面１００ａに設けた係止突起１０４に係合し、また第二の突起４０４を、のし瓦本体部４００（半截のし瓦４−１）の表面４００ａに設けた係止突起４０２に係合可能とした構造である。そして、この段部４０１には、後述する上段の半截のし瓦４−１（上段の半截のし瓦４−１例も、その符号は共通する）の第二の係止突起４０４を葺設することで、この上段の半截のし瓦４−１のチリ寸法決定（勾配調整）ができる。即ち、この段部４０１への第二の突起４０４の葺設と、又は図示しないが、この段部４０１をカットし、表面４００ａへの葺設とを利用してチリ寸法決定（勾配調整）ができる。
【００２８】
図９〜図１０に示した三段のし付き冠瓦７に付き説明すると、この三段のし付き冠瓦７は、アーチ形状の冠瓦本体部７００の両側面７００ｃ、７００ｄに擬似三段のし部７０１を備え、またアーチ形状の冠瓦本体部７００の一方側７００−１に玉縁７０２を、他方側７００−２に紐部７０３を備えた構成であり、この冠瓦本体部７００の表面７００ａから裏面７００ｂに到る釘孔７０４を有する。図中７０６は表面７００ａの玉縁７０２側に設けた水切り溝を示しており、表面７００ａの雨水を誘導し、玉縁７０２への侵入防止を図る。図中７０７は裏面７００ｂに設けた壁であり、玉縁７０２側に設けられている。尚、この玉縁７０２には水返し突条７０８を設ける。
【００２９】
次に、図１−１〜図２に示した乾式（場合により、図示しないが、葺き土方式も可能である）を採用した棟部Ａの葺設状態を説明すると、先ず、棟部Ａの両側（棟を中心として左右側）の棧瓦１０、１１に（原作として、片側の棧瓦１０、半截面戸付きのし瓦１−１と、半截のし瓦４−１等に関して説明する）、面戸付きのし瓦１を切り溝２より半截して形成した半截面戸付きのし瓦１−１をそれぞれ葺設し、この半截面戸付きのし瓦１−１（面戸付きのし瓦本体部１００）の裏面１００ｂに設けた凹部１０２ａを、棧瓦１０に葺設した棧木Ｂに被嵌する。この被嵌により、半截面戸付きのし瓦１−１が所定の位置に葺設される。尚、この半截面戸付きのし瓦１−１と棧木Ｂは、釘１０止めされるとともに、屋根地Ｃに設けた支持具Ｄに番線Ｅを介して緊締することで、前述の如く、半截面戸付きのし瓦１−１が所定の位置に葺設される（図１−１）。尚、補助支持具Ｄ１と当木Ｂ１及び／又は釘１３とを介して半截面戸付きのし瓦１−１が所定の位置に葺設される（図１−２）場合もあり得る。この図１−２の例では、より強固な葺設が可能と考えられる。
【００３０】
この半截面戸付きのし瓦１−１を、棧瓦１０の上に葺設することで、この棧瓦１０の表面１０ａ（棧山、丸瓦部、差込で形成される表面）には、半截面戸付きのし瓦１−１の面戸１０６の下側が添接され、かつこの表面１０ａの尻側１０ｃ及び／又は棧瓦１０の表面１０ａの一部が隠蔽される。またこの面戸１０６は、葺き土の省略と、隙間を閉塞する。またこの面戸１０６を設けることで、周知の如く、乾式の棟装置に構築できる。
【００３１】
そして、この半截面戸付きのし瓦１−１（面戸付きのし瓦本体部１００）の表面１００ａには、のし瓦４に設けた切り溝５を利用し、こののし瓦４を半截して形成した半截のし瓦４−１を葺設する。この際に、半截のし瓦４−１（のし瓦本体部４００）の裏面４００ｂに設けた第一の突起４０３を、前記半截面戸付きのし瓦１−１の表面１００ａに設けた係止突起１０４に係合し、かつこの半截面戸付きのし瓦１−１の表面１００ａに被嵌するように葺設する（半截のし瓦４−１の端部が、半截面戸付きのし瓦１−１の端部より突設する）。
【００３２】
続いて、この半截のし瓦４−１には、同じ構成の上段の半截のし瓦４−１が葺設される。この葺設時に、半截のし瓦４−１（のし瓦本体部４００）の表面４００ａに設けた係止突起４０２に、上段の半截のし瓦４−１（のし瓦本体部４００）の裏面４００ｂに設けた第二の突起４０４が係合される。またこの際に、段部４０１を利用した場合は、この段部４０１に、前記第二の係止突起４０４を葺設することで、この段部４０１の高さ分だけ、上段の半截のし瓦４−１の端部（軒先側）を下げ、所定の勾配で上段の半截のし瓦４−１を葺設できる。従って、この半截のし瓦４−１の段部４０１に、この上段の半截のし瓦４−１の第二の係止突起４０４を葺設することで、この上段の半截のし瓦４−１のチリ寸法決定（勾配調整）ができる。また逆に、この段部４０１を利用しない場合は、この段部４０１を外して、前記係止突起４０２に葺設することで、この段部４０１の高さとは関係なく、所定の勾配で上段の半截のし瓦４−１を葺設できる。
【００３３】
以上の如く、段部４０１の利用と、またカット（前述した）等を介してチリ寸法決定（半截のし瓦４−１の端部と、上段の半截のし瓦４−１の端部との距離調整）と、勾配調整（上段の半截のし瓦４−１の勾配調整）とができる。
【００３４】
この半截のし瓦４−１には（半截のし瓦４−１が１段のみもあり得る）、必要により、多数段の上段の半截のし瓦４−１が葺設されるが、前述の葺設に準ずる。この多数段の半截のし瓦４−１、上段の半截のし瓦４−１等は番線Ｅを介して垂木Ｆ用の支持具Ｄ、又は垂木Ｆに緊締する。
【００３５】
そして、この一段又は複数段に葺設（段積み）された半截のし瓦４−１、または上段の半截のし瓦４−１の上には、三段のし付き冠瓦７を葺設する。この葺設時に、三段のし部７０１の下端を、半截のし瓦４−１の表面４００ａに添接する。最後に、この三段のし付き冠瓦７の釘孔７０４を介して釘１３を打ち込み、この釘１３を垂木Ｆに固定する。
【００３６】
また面戸付きのし瓦１（面戸付きのし瓦本体部１００）の絞込み部１０１には、棟方向に葺設する面戸付きのし瓦１（面戸付きのし瓦本体部１００）の空間部１０３が被嵌される。また三段のし付き冠瓦７の玉縁７０２には、棟方向に葺設する三段のし付き冠瓦７の紐部７０３が被嵌される。また三段のし付き冠瓦７の裏面７００ｂで、玉縁７０２側に設けた壁７０７は、玉縁７０２からの雨水の侵入防止に役立ち、また、この寸法調整時（最大の寸法調整時）において、紐７０３と玉縁７０２からの雨水の侵入防止に役立こと等の利点がある。
【００３７】
そして、図１−１と図１−２には、水密と接着とを兼ねた、モルタル、ポリーム（商品名）、漆喰等の充填材Ｇを葺設することが望ましい。図中Ｅは番線（止め部材）である。
【図面の簡単な説明】
【００３８】
【図１−１】図１−１は棟装置の一例を示した要部断面図
【図１−２】図１−２は棟装置の他の一例を示した要部断面
【図２】図２は図１の斜視図
【図３】図３は面戸付きのし瓦の表面視した全体斜視図
【図４】図４は図３の裏面視した斜視図
【図５】図５は半截面戸付きのし瓦の表面視した全体斜視図
【図６】図６はのし瓦の表面視した全体斜視図
【図７】図７は図６の裏面視した全体斜視図
【図８】図８は半截のし瓦の裏面視した全体斜視図
【図９】図９は三段のし付き冠瓦の表面視した全体斜視図
【図１０】図１０は図９の裏面視した斜視図
【符号の説明】
【００３９】
１            面戸付きのし瓦
１−１        半截面戸付きのし瓦
１００        面戸付きのし瓦本体部
１００ａ      表面
１００ｂ      裏面
１００−１    一方側
１００−２    他方側
１０１        絞込み部
１０２        玉縁
１０２ａ      凹部
１０３        空間部
１０４        係止突起
１０５        係止突起
１０６        面戸
１０７        水切り溝
１０８        水返し突条
１０９        水返し突条
１１０        水返し突条
２            切り溝
４            のし瓦
４−１        半截のし瓦
４００        のし瓦本体部
４００ａ      表面
４００ｂ      裏面
４０１        段部
４０２        係止突起
４０３        第一の突起
４０４        第二の突起
５            切り溝
７            三段のし付き冠瓦
７００        冠瓦本体部
７００ａ      表面
７００ｂ      裏面
７００ｃ      側面
７００ｄ      側面
７００−１    一方側
７００−２    他方側
７０１        三段のし部
７０２        玉縁
７０３        紐部
７０４        釘孔
７０６        水切り溝
７０７        壁
７０８        水返し突条
１０          棧瓦
１０ａ        表面
１０ｃ        尻側
１１          棧瓦
１３          釘
Ａ            棟部
Ｂ            棧木
Ｂ１          当木
Ｃ            屋根地
Ｄ            支持具
Ｄ１          補助支持具
Ｅ            番線
Ｆ            垂木
Ｇ            充填材
【図１−１】
2008156991.tif 000003
【図１−２】
2008156991.tif 000004
【図２】
2008156991.tif 000005
【図３】
2008156991.tif 000006
【図４】
2008156991.tif 000007
【図５】
2008156991.tif 000008
【図６】
2008156991.tif 000009
【図７】
2008156991.tif 000010
【図８】
2008156991.tif 000011
【図９】
2008156991.tif 000012
【図１０】
2008156991.tif 000013
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
屋根地の棟部の棧瓦に葺設される半截方式の面戸付きのし瓦と、この面戸付きのし瓦に複数枚積層される半截方式ののし瓦と、こののし瓦に積層される三段のし付き冠瓦とで構成した棟であって、
前記面戸付きのし瓦は、山形の面戸付きのし瓦本体部の一方側に絞込み部を備えた玉縁と、また面戸付きのし瓦本体部の他方側は、前記玉縁の挿入が可能な空間部を備え、しかもこの面戸付きのし瓦本体部の表裏面に係止突起をそれぞれ設けた構成と、
また前記半截方式ののし瓦は、平板状ののし瓦本体部の表面に段部を備えた係止突起を、またその裏面に第一の突起と、第二の突起とを形成し、こののし瓦を、半截して数段に葺設する際に、この第一の突起を前記面戸付きのし瓦本体部の表面に設けた係止突起に係合し、また第二の突起を、のし瓦本体部の表面に設けた係止突起に係合可能とする構成と、
前記三段のし付き冠瓦は、アーチ形状の冠瓦本体部の両側面に擬似三段のし部を備え、またアーチ形状の冠瓦本体部の一方側に玉縁を、他方側に紐部を備えた構成とし、
前記棟部の両側の棧瓦に、半截面戸付きのし瓦をそれぞれ葺設し、この両側の半截面戸付きのし瓦の上に、半截のし瓦をそれぞれ複数枚積層し、この葺設時に、半截のし瓦本体部の裏面に設けた第一の突起を、前記半截面戸付きのし瓦本体部の表面に設けた係止突起にそれぞれ係合するとともに、上段の半截のし瓦本体部の裏面に設けた第二の突起を、こののし瓦本体部の表面に設けた係止突起にそれぞれ係合し、この両側に葺設した複数段の半截のし瓦本体部の表面に、かつこの表面に設けた係止突起をそれぞれ被嵌するようにして前記三段のし付き冠瓦を葺設する構成とした棟装置。
【請求項２】
請求項１に記載の棟装置であって、
前記棟部に設けた支持具に、垂木を積層し、この垂木の両側に半截面戸付きのし瓦本体部を、それぞれ添接及び／又は緊締手段で固止し、この両半截面戸付きのし瓦本体部の表面に設けた係止突起に、一段目の両側の半截のし瓦本体部の裏面に設けた第一の突起をそれぞれ係合するとともに、この一段目の両側の半截のし瓦本体部を、前記支持具に緊締し、
この一段目の両側の半截のし瓦本体部に、二段目の両側の半截のし瓦本体部を葺設し、この一段目の両側の半截のし瓦本体部の表面に設けた係止突起に、二段目の両側の半截のし瓦本体部の裏面に設けた第二の突起を係合するとともに、この二段目の両側の半截のし瓦本体部を、前記支持具に緊締し、
以上のようにして、複数段の両側の半截のし瓦本体部を順次葺設するとともに、緊締し、この複数段の半截のし瓦を葺設かつ緊締し、
複数段葺設した両側の半截のし瓦本体部の表面に、かつこの表面に設けた係止突起をそれぞれ被嵌するようにして前記三段のし付き冠瓦を葺設するとともに、この三段のし付き冠瓦に貫入した釘を前記垂木に緊締する構成とした棟装置。
【請求項３】
請求項１に記載の棟装置であって、
前記半截のし瓦本体部の表面に設けた係止突起に隣接して設けた段部を、勾配調整用の段部とする構成とした棟装置。
【請求項４】
請求項１に記載の棟装置であって、
前記半截のし瓦本体部の表面に設けた係止突起に隣接して設けた段部を、チリ寸法決定用の段部とする構成とした棟装置。
【手続補正２】
【補正対象書類名】明細書
【補正対象項目名】０００９
【補正方法】変更
【補正の内容】
【０００９】
請求項１は、屋根地の棟部の棧瓦に葺設される半截方式の面戸付きのし瓦と、この面戸付きのし瓦に複数枚積層される半截方式ののし瓦と、こののし瓦に積層される三段のし付き冠瓦とで構成した棟であって、
前記面戸付きのし瓦は、山形の面戸付きのし瓦本体部の一方側に絞込み部を備えた玉縁と、また面戸付きのし瓦本体部の他方側は、前記玉縁の挿入が可能な空間部を備え、しかもこの面戸付きのし瓦本体部の表裏面に係止突起をそれぞれ設けた構成と、
また前記半截方式ののし瓦は、平板状ののし瓦本体部の表面に段部を備えた係止突起を、またその裏面に第一の突起と、第二の突起とを形成し、こののし瓦を、半截して数段に葺設する際に、この第一の突起を前記面戸付きのし瓦本体部の表面に設けた係止突起に係合し、また第二の突起を、のし瓦本体部の表面に設けた係止突起に係合可能とする構成と、
前記三段のし付き冠瓦は、アーチ形状の冠瓦本体部の両側面に擬似三段のし部を備え、またアーチ形状の冠瓦本体部の一方側に玉縁を、他方側に紐部を備えた構成とし、
前記棟部の両側の棧瓦に、半截面戸付きのし瓦をそれぞれ葺設し、この両側の半截面戸付きのし瓦の上に、半截のし瓦をそれぞれ複数枚積層し、この葺設時に、半截のし瓦本体部の裏面に設けた第一の突起を、前記半截面戸付きのし瓦本体部の表面に設けた係止突起にそれぞれ係合するとともに、上段の半截のし瓦本体部の裏面に設けた第二の突起を、こののし瓦本体部の表面に設けた係止突起にそれぞれ係合し、この両側に葺設した複数段の半截のし瓦本体部の表面に、かつこの表面に設けた係止突起をそれぞれ被嵌するようにして前記三段のし付き冠瓦を葺設する構成とした棟装置である。
【手続補正３】
【補正対象書類名】明細書
【補正対象項目名】００１６
【補正方法】変更
【補正の内容】
【００１６】
請求項１の発明は、屋根地の棟部の棧瓦に葺設される半截方式の面戸付きのし瓦と、面戸付きのし瓦に複数枚積層される半截方式ののし瓦と、のし瓦に積層される三段のし付き冠瓦とで構成した棟であって、
面戸付きのし瓦は、山形の面戸付きのし瓦本体部の一方側に絞込み部を備えた玉縁と、また面戸付きのし瓦本体部の他方側は、玉縁の挿入が可能な空間部を備え、しかも面戸付きのし瓦本体部の表裏面に係止突起をそれぞれ設けた構成と、
また半截方式ののし瓦は、平板状ののし瓦本体部の表面に段部を備えた係止突起を、またその裏面に第一の突起と、第二の突起とを形成し、のし瓦を、半截して数段に葺設する際に、第一の突起を面戸付きのし瓦本体部の表面に設けた係止突起に係合し、また第二の突起を、のし瓦本体部の表面に設けた係止突起に係合可能とする構成と、
三段のし付き冠瓦は、アーチ形状の冠瓦本体部の両側面に擬似三段のし部を備え、またアーチ形状の冠瓦本体部の一方側に玉縁を、他方側に紐部を備えた構成とし、
棟部の両側の棧瓦に、半截面戸付きのし瓦をそれぞれ葺設し、両側の半截面戸付きのし瓦と係止突起とを利用し、半截のし瓦をそれぞれ複数枚積層し、葺設時に、半截のし瓦本体部の第一の突起を、半截面戸付きのし瓦本体部の表面に設けた係止突起にそれぞれ係合するとともに、上段の半截のし瓦本体部の第二の突起を、のし瓦本体部の表面に設けた係止突起にそれぞれ係合し、両側の半截のし瓦本体部の表面に、かつ表面に設けた係止突起をそれぞれ被嵌するようにして三段のし付き冠瓦を葺設する構成とした棟装置である。